(57)【要約】      （修正有）【課題】一対の側板部と上方枠部とを、それらを嵌合する連結具を用いて固定し脚体を組み立てることができる卓子構造およびそれに用いる連結具を提供する。【解決手段】側板部３の上部と上方枠体５とが連結具２０によって固定されており、該連結具が、断面チャンネル状で前記側板の上部で前後いずれかの端部に上から外嵌するための嵌合溝を有する第１嵌合部と、該第１嵌合部から直角方向に延びて一体に連接されると共に断面チャンネル状で前記上方枠部の少なくとも側板部３との交差個所を含んで突出部分７に下から外嵌する嵌合溝を有する第２嵌合部を有してなることを特徴とする。【選択図】図２
0003190935.tif 000002
【実用新案登録請求の範囲】
【請求項１】
左右一対に配置され下端が設置面上に立設する側板部と、該左右一対の側板部の上端前方及び上端後方にそれぞれ掛け渡されて固定される前後一対の上方枠部とを有し、該上方枠部は側板部より左右外方に延出する突出部分を有してなる脚体と、該脚体の前記一対の側板部及び上方枠部で形成される枠体の少なくとも前記突出部分を嵌合する溝を有する掛止部を裏面に有して脚体に着脱可能な天板とからなる卓子構造において、
側板部の上部と上方枠体とが連結具によって固定されており、
該連結具が、断面チャンネル状で前記側板の上部で前後いずれかの端部に上から外嵌するための嵌合溝を有する第１嵌合部と、該第１嵌合部から直角方向に延びて一体に連接されると共に断面チャンネル状で前記上方枠部の少なくとも側板部との交差個所を含んで突出部分に下又は上から外嵌する嵌合溝を有する第２嵌合部を有してなることを特徴とする卓子構造。
【請求項２】
前記第２嵌合部の溝方向の略中央位置に第１嵌合部が連設されていることを特徴とする請求項１に記載の卓子構造。
【請求項３】
前記第１嵌合部が、側板部の上端から中途位置まで下方に延びる嵌合本体部と、該嵌合本体部の嵌合溝と連通すると共に側板部の長手方向に沿って延びると共に嵌合本体部より短く設定された補助嵌合部を有していることを特徴とする請求項１又は２に記載の卓子構造。
【請求項４】
前記側壁部の内面側にプレート状の幕板を嵌込む嵌込溝を左右一対に設けており、
該嵌込溝が、側壁部の上端で開口し側板部の下方の中途位置まで延びており、
幕板の左右には上記嵌込溝に嵌合する掛止部が設けられていることを特徴とする請求項１から３のいずれかに記載の卓子構造。
【請求項５】
前記第１嵌合部の内面側の溝周壁に、幕板を通す切欠部が形成されていることを特徴とする請求項１から４のいずれかに記載の卓子構造。
【請求項６】
請求項１から５のいずれかに記載の卓子構造に用いる卓子用連結具であって、
該連結具が、断面チャンネル状で前記側板の上部で前後いずれかの端部に上または下から外嵌するための嵌合溝を有する第１嵌合部と、該第１嵌合部から直角方向に延びて一体に連接されると共に断面チャンネル状で前記上方枠部の少なくとも側板部との交差個所を含んで突出部分に下または上から外嵌する嵌合溝を有する第２嵌合部を有してなることを特徴とする卓子用連結具。
【考案の詳細な説明】
【技術分野】
【０００１】
この考案は、一対の側板部と上方枠部とを、それらを嵌合する連結具を用いて固定し脚体を組み立てることができる卓子構造およびそれに用いる卓子用連結具に関する。
【背景技術】
【０００２】
本考案者は、特開２００１−１９７９４４号（特許第３７７７０７８号）の卓子及び卓子と脇収納箱の組み合わせ構造として、天板部を支持する正方形または長方形の枠部と該枠部から一体に垂下する脚柱とからなる支持台と、該支持台の枠部の上に着脱可能に外嵌される天板部とからなって、前記天板部を外した状態で支持台がスタッキング可能な卓子において、
枠部が、平行に離間した縦または横に延びる一対の第一枠辺と、該第一枠辺の長手方向の端部より内側で第一枠辺間に横架された横または縦方向に延びる一対の第二枠辺とからなって、前記第一枠辺に第二枠辺より外方に突出し、積み重ねた際の脚柱を嵌合可能な長さに設定された突出部分を形成してなり、前記第二枠辺で第一枠辺に接した位置に脚柱を配置してなり、前記枠部にプレート状の幕板を嵌込む嵌込溝を左右一対に設けており、該嵌込溝が、第二枠辺の上端で、脚柱の延長位置に開口部を穿設し、該第二枠辺を通り脚柱の中途位置まで延びていることを特徴とする卓子を提案し、相応の成果を挙げている。
【先行技術文献】
【特許文献】
【０００３】
【特許文献１】特開２００１−１９７９４４号公報
【考案の概要】
【考案が解決しようとする課題】
【０００４】
本考案者は更に研究開発の結果、部品点数を減らすと共に、脚体の組み立て、分解を容易にするために、嵌合部からなる連結具を用いた卓子構造を完成するに至った。
【課題を解決するための手段】
【０００５】
上記課題を達成するため、請求項１の考案では、
左右一対に配置され下端が設置面上に立設する側板部と、該左右一対の側板部の上端前方及び上端後方にそれぞれ掛け渡されて固定される前後一対の上方枠部とを有し、該上方枠部は側板部より左右外方に延出する突出部分を有してなる脚体と、該脚体の前記一対の側板部及び上方枠部で形成される枠体の少なくとも前記突出部分を嵌合する溝を有する掛止部を裏面に有して脚体に着脱可能な天板とからなる卓子構造において、
側板部の上部と上方枠体とが連結具によって固定されており、
該連結具が、断面チャンネル状で前記側板の上部で前後いずれかの端部に上から外嵌するための嵌合溝を有する第１嵌合部と、該第１嵌合部から直角方向に延びて一体に連接されると共に断面チャンネル状で前記上方枠部の少なくとも側板部との交差個所を含んで突出部分に下又は上から外嵌する嵌合溝を有する第２嵌合部を有してなることを特徴とする。
請求項２の考案では、
前記第２嵌合部の溝方向の略中央位置に第１嵌合部が連設されていることを特徴とする。
請求項３の考案では、
前記第１嵌合部が、側板部の上端から中途位置まで下方に延びる嵌合本体部と、該嵌合本体部の嵌合溝と連通すると共に側板部の長手方向に沿って延びると共に嵌合本体部より短く設定された補助嵌合部を有していることを特徴とする。
請求項４の考案では、
前記側壁部の内面側にプレート状の幕板を嵌込む嵌込溝を左右一対に設けており、
該嵌込溝が、側壁部の上端で開口し側板部の下方の中途位置まで延びており、
幕板の左右には上記嵌込溝に嵌合する掛止部が設けられていることを特徴とする。
請求項５の考案では、
前記第１嵌合部の内面側の溝周壁に、幕板を通す切欠部が形成されていることを特徴とする。
請求項６の考案では、
請求項１から５のいずれかに記載の卓子構造に用いる卓子用連結具であって、
該連結具が、断面チャンネル状で前記側板の上部で前後いずれかの端部に上または下から外嵌するための嵌合溝を有する第１嵌合部と、該第１嵌合部から直角方向に延びて一体に連接されると共に断面チャンネル状で前記上方枠部の少なくとも側板部との交差個所を含んで突出部分に下または上から外嵌する嵌合溝を有する第２嵌合部を有してなることを特徴とする。
【考案の効果】
【０００６】
この考案は、一対の側板部と、上方枠部とを、連結具の嵌合溝に嵌込むことで強固に脚体を組み立てることができる。
連結具は、使用に際しては第２嵌合部が天板の掛止部内に嵌込まれ拘束されているので、変形せず強固に固定することができる。
また側板部と上方枠部とは、釘やボルトなどを用いなくてもよいので、分解が容易であり、部品の修理や交換が行いやすい。
更に、本考案では、交差する個所を連結具で固定すると共に、幕板を横架させることで膳台の強度を向上させることができる。
【図面の簡単な説明】
【０００７】
【図１】卓子の斜視図である。
【図２】卓子の天板と幕板を分離した状態の斜視図である。
【図３（ａ）】前後の連結具の斜視図である。
【図３（ｂ）】嵌合溝の向きを変えた連結具の斜視図である。
【図４（ａ）】異なる連結具の斜視図である。
【図４（ｂ）】異なる連結具の展開図である。
【図５】幕板通過用の切欠を有する連結具の斜視図である。
【図６】異なる構成の連結具を示す分解斜視図である。
【図７】脚体と天板の掛止構造を示す底面図である。
【図８】脚体のスタッキング状態を説明する平面から見た説明図である。
【考案を実施するための形態】
【０００８】
この卓子は、一対の側板部と上方枠部とを、連結具の嵌合溝に嵌込むことで脚体を組み立てることができ脚体組立の迅速化と交換や補修の容易化を実現した。
【実施例１】
【０００９】
以下に、この考案の卓子を膳台に適用した好適実施例について図面を参照して説明する。
膳台１は、図１および図２に示すように、左右一対の側板部３と、前後一対の上方枠部５と、幕板８とからなる脚体２と、天板１０とからなっており、前記側板部３と上方枠部５とは連結具２０により連結されている。
【００１０】
［側板部］
側板部３は、左右一対に設けられ、下端が接地面上に立設すると共に脚３ａ及び側壁３ｂとなる１枚の板材からなっている。
この側壁部３の下端面、図示例では脚３ａが床面との接地面となり、前後方向に配置される。
図中、符号４は装飾を兼ねる軽量化のための穴であって、側壁部３は、略矩形の枠となっているが、穴４は図示例のような１つに限らずに複数形成してもよいし、全く形成しなくてもよい。
要するに、１枚のプレート状で実質的に前後の脚が形成されればよいので、中央に下端が開放された穴を形成するなど任意の形状とすることができる。
【００１１】
［上方枠部］
上方枠部５は、直線状に延びる杆材からなっており、一対の側板部３の上部で前方および後方の外側に掛け渡されて前後一対に設けられている。
この上方枠部５は、その長手方向の両端部がそれぞれ隣接する側板部３との連結位置より外方へ延出する突出部分７を有している。
【００１２】
前記側板部３は、その前端面および後端面の上部が前後一対の上方枠部５の長手方向の中途位置、即ち、前記突出部分７が外方となるように配置される。
これは、脚体２をスタッキングする際に、上段の脚体２’の側板部３’の一方が、下段の脚体２の側板部３の内側で上方枠部５、５の間に挿入され、他方が前記のように下段の脚体２の突出部分７、７間に挿入されうるようにその位置および間隔が設定されている（図８参照）。
上記構成により、前記膳台１は、特開２００１−１９７９４４号公報と同様の構成によりスタッキングすることができる。
【００１３】
［連結具］
この考案においては、前記側板部３と上方枠部５とは、連結具２０によって掛け止られ脚体２が形成されている。
尚、図示例で、側板部３と上方枠部５とは、連結具２０の適宜箇所に孔Ｈを設けて、ビスなどの固定金具によって固定しているが、接着などで固定してもよいし、係合だけでもよい。
図３（ａ）に示す連結具２０は、断面チャンネル状で前記側板部２の上部で前方端部または後方端部に上から外嵌するための上下に延びる嵌合溝２２を有する第１嵌合部２１と、該第１嵌合部２１の上端と連接し左右に延びる嵌合溝２５を有する断面チャンネル状の第２嵌合部２４とからなっている。
【００１４】
本実施例では、前記第２嵌合部２４は、側板部３を中央にして、その外側に左右に伸びており、一方が上方枠部５の突出部分７を嵌合しており、他方が上方枠部５の突出部分７より内側の中途位置まで嵌合している。
従って、側板部３に嵌合される第１嵌合部２１は、第２嵌合部２４の中央で直角となるように平面Ｔ状に配置されている。
この考案では、第２嵌合部２４が突出部分７を嵌合し、該第２嵌合部２４の内側端部で第１嵌合部２１が連接される平面Ｌ状に形成されていてもよい。
【００１５】
前記第２嵌合部２４は、嵌合溝２５の左右方向が開放されると共に上面が開口する断面チャンネル状に形成されており、上方枠部５を上から嵌合溝２４内に嵌合することができる。
第１嵌合部２１は、嵌合溝２２が前後方向に開放されると共に下面側が開口する断面チャンネル状に形成されており、第２嵌合部２４と連接する側の上部が第２嵌合部２４の周壁によって塞がれており、その下部は第１嵌合部２１の側壁に連接する折返し片２１ｂ’（図４（ｂ）参照）によって塞がれている。
【００１６】
また、図示例では、第１嵌合部２１は、第２嵌合部２４との連設部分の下方に下端まで延びる切欠溝２１ａを有しており脚体２のスタッキング時に隙間となって余裕をとることができる。
上記切欠溝２１ａに替えて側板部３の対応位置に溝を設けてもよい。
【００１７】
図３（ｂ）に示す連結具２０は、第２嵌合部２４の嵌合溝２５の向きを上下逆にした場合の変形例を示す。
この場合、第２嵌合部２４は、嵌合溝２５の左右方向が開放されると共に下面が開口する断面チャンネル状に形成されており、嵌合溝２５内に下から上方枠部５を嵌合することができる。
その他の構成は図３（ａ）と同様であるので、その説明を省略する。
【００１８】
次に、図４（ａ）の連結具２０は、前記第１嵌合部２１の後方、即ち、第２嵌合部２４と反対の方向に延びて第１嵌合部２１の嵌合溝２２と連通する補助嵌合部２３を有している。
これにより側板部３の上部への嵌合面積を広くすることができる。
その他の構造は、図３（ａ）と同様なので説明を省略する。
また、この場合も、図３（ｂ）と同様に、第２嵌合部２４の嵌合溝２５の向きを上下反対に配置してもよい。
【００１９】
上記連結具２０のブランクは、図４（ｂ）に示すように、第１嵌合部２１を形成する略長方形の第１形成片２１’と、該第１形成片２１’の前方に連接し第２嵌合部２４を形成する第２形成片２４’と、前記第１形成片２１’の後方に横幅が狭くなった補助形成片部２３’とが連設されている（なお、図３の連結具２０の場合は補助形成片部２３’が省略される）。
そして、第１形成片２１’および補助形成片部２３’は、中央に前記側板部３の板厚に対応した幅で一対の折曲げ線Ｌ１，Ｌ２が形成されている。
【００２０】
第１形成片２１’と第２形成片２４’とは、前記折曲げ線Ｌ１，Ｌ２の外側が切取線Ｌ３，Ｌ４によって切り離されると共に、前記第２形成片２４’より外側には、切欠溝２１ａに相当する切欠部２１ａ’と、該切欠部２１ａ’の延長線上に折曲げ線Ｌ５、Ｌ６を介して第１形成片２１’の前方で連接し第２形成片２４’を挟むように一対の折返し片２１ｂ’が形成されている。
【００２１】
次に、第２形成片２４’は、第１形成片２１’より幅狭となっており、横幅方向に平行に延びる２本の折曲げ線Ｌ７、Ｌ８が形成され、また、前記折曲げ線Ｌ１，Ｌ２の先端間に折曲げ線Ｌ９が形成されている。
そして、折曲げ線Ｌ７、Ｌ８で囲まれた内側は、図４（ａ）（図３（ａ）も同様）では第２嵌合部２４の溝底面となり、図３（ｂ）では第２嵌合部２４の天壁面となるので上方枠部５の横幅に対応しており、折曲げ線Ｌ７、Ｌ８の外側は上方枠部５の高さに対応している。
【００２２】
上記折曲げ線Ｌ１、Ｌ２、Ｌ５〜Ｌ９を山折りまたは谷折りして図４に示す連結具２０（図３もこれに準じる）の形状に形成し、第１形成片２１と第２形成片２４の連設部分を溶着などで固定して成形される。
また、前記一対の折返し片２１ｂ’も重ね合わせて第１嵌合部２１の前面の開口側を塞いで固着する。
【００２３】
このように前記連結具２０は、前記ブランクを山折り線や谷折り線に沿って折り曲げることで、直交する２つの嵌合溝２２、２５を有する連結具（図３（ａ）（ｂ）や図４（ａ）参照）を容易に組み立てることができる。
なお、第１嵌合部２１の端部が第２嵌合部２４の周壁と接する個所は溶着などで一体に固定することが好ましい。
上記実施例では、連結具２０を金属板で形成する場合を示したが、合成樹脂で一体成形するものでもよい。
なお、図４（ｂ）のブランクでは、側板部３や上方枠部５とを固定金具で固定するための孔Ｈは図示省略している。
【００２４】
［天板］
本考案では、脚体２に天板１０を嵌合して膳台１として使用に供せられる。
天板１０は、外周壁が断面アングル状となって、内側（底面側）が窪む形状となっており、その四隅に、前記上方枠部５の延長部分７を拘束する掛止部１１が突設されている。
【００２５】
［掛止部］
掛止部１１は、前記上方枠部５の少なくとも突出部分７を嵌込む溝部１２を形成した突片からなっている。
図示例の場合、前記掛止部１１は、突出部分７の外側の面と、先端の面と、内側の面を拘束するように前記溝部１２を形成している。
本実施例では、上記突出部分７には第２嵌合部２４が外嵌されているので、前記溝部１２は突出部分７を嵌合した第２嵌合部２４を嵌め込んで拘束する。
【００２６】
これにより、前後一対の上方枠部５の左右両端に形成された４個所の突出部分７に連結具２０を付けた状態で４カ所の掛止部１１によってそれぞれ掛止めて拘束する。
これにより連結部２０による上方枠部５のとの連結強度が高まるので、同時に側板３との連結力も強化され、従来のような釘やボルト等を用いなくても連結具２０を用いた嵌込みだけで脚体２を強固に連結し、使用に供することができる。
そして、側板３と上方枠部５とは連結具２０に嵌合しているだけであるので、側板３や上方枠部５を適宜、交換したり、分離して補修することができる。
【００２７】
［幕板］
この実施例では、各側板部３に前後の端部寄りで、上端及び内壁面側で開口し下方の所定位置まで直線状に延びる嵌込溝９が形成されており、プレート状の幕板８の側端部を着脱可能に嵌合して幕板８を取り付けられる（図２参照）。
図示例では、嵌込溝９を前後に設け、幕板８は１枚として前後いずれに装着してもよいようにしたが、嵌込溝９は前後のいずれか一方だけに設けてもよい。
図示例では嵌込溝９は幕板８の縦の長さに合わせて形成されており、側板部３の高さ方向の所定の中途位置まで伸びているが、全長に亘って形成されていてもよく、幕板８の高さを側板部３とほぼ同じにしてもよい。
図示例では、嵌込溝９の長さを幕板８の縦の長さより短くしておき、幕板８は嵌込溝９の長さに対応した個所だけ左右に突出する掛止部８ａを設けるようにしている。
【００２８】
そして、側板部３、３間に幕板８が掛け渡され横桟として機能するので、脚体２が補強され横からの衝撃に対して強くなる。
上記幕板８は、嵌込溝９に差し込む構成でなくても、左右の側板部３に横架し強度を向上できる掛止め構造としてもよい。
要するに、幕板８を設けることで膳台１の左右の横揺れを無くして強度が向上できればよい。
なお、脚体２のスタッキングに際しては、前記幕板８は嵌合溝９から引き抜いたり、取り外したりして積み重ねる。
連結具２０は、前記嵌込溝９を塞がない長さの場合を例示したが、嵌込溝９の上部開口を塞いでもよい。
【００２９】
例えば、図５に示す連結具２０の場合、連結具２０の側板部３を覆う第１嵌合部２１の内壁面側に、幕板８を通過させる切欠部２６を形成すればよい。
これにより、第１嵌合部２１はその上面で、嵌込溝９に挿入された幕板８の上端面を覆い、幕板８は側面の切欠部２６から抜けて横架させることができる。
【００３０】
また、図６に示す連結具２０の場合、断面チャンネル状の部材を溶接等で固着した構成からなっている。
即ち、縦向きの断面チャンネル状の部材を第１嵌合部２１の本体部分とし、横向きの断面チャンネル状の部材を前記第１嵌合部２１の本体部分に外嵌し固定して補助嵌合部２３を形成している。
この際に補助嵌合部２３の先端を第１嵌合部２１の本体部分の先端部分より後方にずらすことで切欠溝に相当する隙間２１ａを形成することができる。
このように組み立てられた第１嵌合部２１と補助嵌合部２３の先端を、第２嵌合部２４の側壁の中央に溶着などで固定することで連結具２０を容易に形成することができる。
【００３１】
上記実施例では、脚体の素材は木製を例に図示したが、この考案では合成樹脂や金属などの素材を全部または一部に組み合わせて用いてもよい。
その他、この考案は上記実施例に限定されるものではなく、この考案の要旨を変更しない範囲で種々設計変更しうるものである。
【符号の説明】
【００３２】
１    膳台
２    脚体
３    側板部
４    穴
５    上方枠部
７    突出部分
８    幕板
１０    天板
１１    掛止部
２０    連結具
２１    第１嵌合部
２２    第１嵌合部の嵌合溝
２４    第２嵌合部
２５    第２嵌合部の嵌合溝
２６    切欠部
【図１】
0003190935.tif 000003
【図２】
0003190935.tif 000004
【図３（ａ）】
0003190935.tif 000005
【図３（ｂ）】
0003190935.tif 000006
【図４（ａ）】
0003190935.tif 000007
【図４（ｂ）】
0003190935.tif 000008
【図５】
0003190935.tif 000009
【図６】
0003190935.tif 000010
【図７】
0003190935.tif 000011
【図８】
0003190935.tif 000012